(57)【要約】【課題】浴槽に断熱性能を具備させるための費用を抑えるとともに、オプション部品の追加によって、浴槽の断熱性能が低下するのを抑えることができる。【解決手段】浴室Ｂ内に配置される浴槽１０と、浴槽１０の下方に配置された浴槽パン２０と、浴槽パン２０から上方に向けて延びるとともに浴室Ｂを画成し、かつ、浴槽１０の縁部１２の一部に接続される壁パネル３０と、浴槽１０の縁部１２のうちの残りの部分から、浴槽パン２０に向けて延びるエプロンパネル４０と、を備え、浴槽パン２０、壁パネル３０、およびエプロンパネル４０はそれぞれ、浴槽１０と面する側に断熱部材６１、６２を備え、浴槽１０は、断熱部材６１、６２により画成された断熱空間Ｈ内に配置されている。【選択図】図１
2019005293.tif 000002
【特許請求の範囲】
【請求項１】
浴室内に配置される浴槽と、
前記浴槽の下方に配置された浴槽パンと、
前記浴槽パンから上方に向けて延びるとともに前記浴室を画成し、かつ、前記浴槽の縁部の一部に接続される壁パネルと、
前記浴槽の縁部のうちの残りの部分から、前記浴槽パンに向けて延びるエプロンパネルと、を備え、
前記浴槽パン、前記壁パネル、および前記エプロンパネルはそれぞれ、前記浴槽と面する側に断熱部材を備え、
前記浴槽は、前記断熱部材により画成された断熱空間内に配置されていることを特徴とするユニットバス。
【請求項２】
前記断熱部材は、前記浴槽パンと一体に形成される第１断熱部材と、前記壁パネルおよび前記エプロンパネルそれぞれにおける外表面のうち、前記浴槽と面する側を向く内面に隣接して配置された複数の第２断熱部材と、を備えていることを特徴とする請求項１に記載のユニットバス。
【請求項３】
前記断熱部材は、発泡体を含んだ材料で形成されていることを特徴とする請求項１又は２に記載のユニットバス。
【請求項４】
前記断熱部材の平均肉厚は、３０ｍｍ以上であることを特徴とする請求項１から３のいずれか１項に記載のユニットバス。
【発明の詳細な説明】
【技術分野】
【０００１】
本発明は、ユニットバスに関する。
【背景技術】
【０００２】
従来から、下記特許文献１に示されるようなユニットバスが知られている。このユニットバスは、浴室内に配置された浴槽と、浴槽の下方に配置される浴槽パンと、浴室を画成する壁パネルと、浴槽の縁部の一部から浴槽パンに向けて延びるエプロンパネルと、を備えている。このユニットバスでは、浴槽内の湯水の温度低下を防止するために、浴槽の外面に断熱材が設けられている。
【先行技術文献】
【特許文献】
【０００３】
【特許文献１】特開２０１３−２７４５６号公報
【発明の概要】
【発明が解決しようとする課題】
【０００４】
しかしながら、前記従来のユニットバスでは、断熱材が浴槽の外面に設けられているので、浴槽の大きさに合わせて、浴槽の外形形状に沿った複数の形状の断熱材を準備する必要がある。そのため、様々な大きさの浴槽を製作する場合、各浴槽に合わせて断熱材の生産設備を準備する必要があり、初期費用がかかるという問題があった。
また、ユニットバスでは、オプション部品として、例えば追い焚きに際して、湯水を再加熱する追焚アダプターや、この追焚アダプター内からの温水を浴槽内に供給する追焚配管、噴流ノズル等を、浴槽の外面に設けることがある。このような場合には、浴槽の外面のうち、オプション部品が位置する部分を覆う断熱材を、部分的に切り欠く必要があった。そして、断熱材のうち、このように切り欠いた部分から、浴槽内の湯水の熱が放熱されることで、浴槽の断熱性能が低下するという問題があった。
【０００５】
本発明は、前述した事情に鑑みてなされたものであって、浴槽に断熱性能を具備させるための費用を抑えるとともに、オプション部品の追加によって、浴槽の断熱性能が低下するのを抑えることができるユニットバスを提供することを目的とする。
【課題を解決するための手段】
【０００６】
前記課題を解決するために、本発明は以下の手段を提案している。
本発明に係るユニットバスは、浴室内に配置される浴槽と、前記浴槽の下方に配置された浴槽パンと、前記浴槽パンから上方に向けて延びるとともに前記浴室を画成し、かつ、前記浴槽の縁部の一部に接続される壁パネルと、前記浴槽の縁部のうちの残りの部分から、前記浴槽パンに向けて延びるエプロンパネルと、を備え、前記浴槽パン、前記壁パネル、および前記エプロンパネルはそれぞれ、前記浴槽と面する側に断熱部材を備え、前記浴槽は、前記断熱部材により画成された断熱空間内に配置されていることを特徴とする。
【０００７】
この場合、浴槽の外側に配置される浴槽パン、壁パネル、およびエプソン部がそれぞれ、浴槽と面する側に断熱部材を備え、浴槽が、断熱部材により画成された断熱空間内に配置されているので、浴槽に断熱性能を具備させることができる。
また、断熱部材が浴槽の外面ではなく、浴槽パン、壁パネル、およびエプロンパネルそれぞれに設けられている。このため、浴槽の大きさに合わせて、浴槽の外形形状に沿った複数の形状の断熱材を準備する必要が無く、断熱材を浴槽の外面に設けるような構成と比較して、生産設備の準備にかかる費用を抑えることができる。
また、断熱部材が、浴槽の外面に設けられていないことから、仮に浴槽の外面にオプション部品を直接接続するような場合であっても、断熱部材を部分的に切り欠く必要が無く、オプション部品の追加によって、浴槽の断熱性能が低下するのを抑えることができる。
【０００８】
また、前記断熱部材は、前記浴槽パンと一体に形成される第１断熱部材と、前記壁パネルおよび前記エプロンパネルそれぞれにおける外表面のうち、前記浴槽と面する側を向く内面に隣接して配置された複数の第２断熱部材と、を備えてもよい。
【０００９】
この場合、浴槽パンが第１断熱部材と一体に形成されるとともに、壁パネルおよびエプロンパネルにおける記浴槽と面する側の内面に、第２断熱部材が隣接して配置されている。このため、浴槽の外面からの放熱を効果的に抑制し、浴槽に高い断熱性能を具備させることができる。
【００１０】
また、前記断熱部材は、発泡体を含んだ材料で形成されてもよい。
【００１１】
この場合、断熱部材が発泡体を含んだ材料で形成されているので、断熱部材を軽量化し、ユニットバスを住居内に据え付ける際の施工性を確保することができる。
【００１２】
また、前記断熱部材の平均肉厚は、３０ｍｍ以上であってもよい。
【００１３】
この場合、断熱部材の平均肉厚が３０ｍｍ以上となっているので、浴槽に、より一層効果的に断熱性能を具備させることができる。
【発明の効果】
【００１４】
本発明によれば、浴槽に断熱性能を具備させるための費用を抑えるとともに、オプション部品の追加によって、浴槽の断熱性能が低下するのを抑えることができる。
【図面の簡単な説明】
【００１５】
【図１】本発明の一実施形態に係るユニットバスの断面模式図である。
【発明を実施するための形態】
【００１６】
以下、図面を参照し、本発明の一実施形態に係るユニットバス１について説明する。
図１に示すように、ユニットバス１は、浴室Ｂ内で用いられ、湯水が貯留される槽部１１を有する浴槽１０と、浴槽１０の下方に配置された浴槽パン２０と、浴槽パン２０から上方に向けて延びるとともに浴室Ｂを画成する壁パネル３０と、を備えている。ユニットバス１は防水性を備え、例えば住居等の内部に据付けられることで、住居内に浴室Ｂを画成する。
【００１７】
浴槽１０は、上面視で幅方向Ｘよりも長手方向に大きい矩形状を呈している。槽部１１は、浴槽１０の中央部に形成され、上方に向けて開口している。槽部１１の内面の形状は、上面視で浴槽１０の外形と相似形状をなしている。
槽部１１の上端部には、水平方向、すなわち長手方向および幅方向Ｘの両方向における外側に向けて延びる縁部１２が形成されている。縁部１２は槽部１１と一体に形成されている。槽部１１の下端部には、浴槽パン２０の上面に載置される台座部１３が形成されている。
なお、このような態様に限られず、浴槽１０は上面視で正方形状を呈してもよいし、槽部１１の内面の形状は、例えば円形状を呈してもよい。以下の説明において、浴槽１０の幅方向Ｘを単に幅方向Ｘ、浴槽１０の長手方向を単に長手方向という。
【００１８】
浴槽パン２０の幅方向Ｘの一方側には、洗場パン２１が配置されている。すなわち、洗場パン２１の上方に位置し、浴室Ｂ内のうち、浴槽１０と幅方向Ｘに隣り合う部分には、洗場Ｗが設けられている。以下の説明において、浴室Ｂ内のうち、幅方向Ｘにおける洗場側を一方側Ｘ１といい、その反対側を他方側Ｘ２という。浴槽パン２０の他方側Ｘ２の端部には、上方に向けて突出した接続壁部２０Ａが形成されている。
【００１９】
壁パネル３０は、浴槽１０の縁部１２のうちの上面視における３辺と、浴槽パン２０と、を接続している。壁パネル３０は接続壁部２０Ａの上端部に接続されている。壁パネル３０は浴槽１０の縁部１２から上方に向けて延びている。壁パネル３０の上端部には、図示しない天井が接続されている。壁パネル３０は、正面視で長方形状の樹脂被覆鋼板からなる。この鋼板の左右端部には、壁パネル３０をスタッドへ固定するために、上端から下端に伸びる取付枠を設けている。
【００２０】
本実施形態では、壁パネル３０における幅方向Ｘの他方側Ｘ２には、石膏ボード３１が配置されている。石膏ボード３１は壁パネル３０に沿って、上下方向および長手方向に延びている。なお、このような態様に限られず、石膏ボード３１は配置されなくてもよい。
なお、壁パネル３０における浴室Ｂの外側には、発泡スチロールなどの断熱パネルを、壁パネル３０もしくは石膏ボード３１に沿って取り付けてもよい。
【００２１】
またユニットバス１は、浴槽１０の縁部１２のうちの残り１辺に配置され、浴槽パン２０に向けて延びるエプロンパネル４０を備えている。図示の例では、エプロンパネル４０は浴槽１０における幅方向Ｘの一方側Ｘ１に位置する縁部１２に配置され、洗場パン２１における幅方向Ｘの他方側Ｘ２の端部と接続されている。なお、このような態様に限られず、エプロンパネル４０は浴槽パン２０と接続されてもよい。
浴槽１０の上部には、浴槽１０を上方から覆うことで、槽部１１の上端開口部を閉塞する蓋部材５０が配置されている。蓋部材５０は、発泡体の芯材を有し、断熱機能を備えている。
【００２２】
そして本実施形態では、浴槽パン２０、壁パネル３０、およびエプロンパネル４０はそれぞれ、浴槽１０と面する側に断熱部材６１、６２を備えている。断熱部材６１、６２は、浴槽パン２０と一体に形成される第１断熱部材６１と、壁パネル３０およびエプロンパネル４０それぞれにおける外表面のうち、浴槽１０と面する側を向く内面に隣接して配置された複数の第２断熱部材６２と、を備えている。
第１断熱部材６１は、上面視形状が浴槽１０の開口よりも大きく形成され、浴槽１０の縁部１２よりも小さく形成されている。第１断熱部材６１の熱伝導率は、０．０４（Ｗ／ｍ・Ｋ）以下であることが好ましい。
【００２３】
壁パネル３０の幅方向Ｘの一方側Ｘ１には、第２断熱部材６２として、壁貼り断熱材３２が隣接して配置されている。壁貼り断熱材３２は、壁パネル３０に接着剤等により貼り付けられている。
エプロンパネル４０の幅方向Ｘの他方側Ｘ２には、第２断熱部材６２として、エプロン貼り断熱材３３が隣接して配置されている。エプロン貼り断熱材３３は、エプロンパネル４０に接着剤等により貼り付けられている。
【００２４】
壁貼り断熱材３２およびエプロン貼り断熱材３３は、表裏面がともに幅方向Ｘを向く板状部材であり、互いに同形同大をなしている。壁貼り断熱材３２およびエプロン貼り断熱材３３は、浴槽パン２０と一体に形成された第１断熱部材６１の上面と、浴槽１０の縁部１２の下面と、の間の上下方向の全域にわたって延びている。
壁貼り断熱材３２およびエプロン貼り断熱材３３の長手方向の大きさは、浴槽１０の長手方向の大きさよりも大きくなっている。壁貼り断熱材３２およびエプロン貼り断熱材３３の熱伝導率は、０．０４（Ｗ／ｍ・Ｋ）以下であることが好ましい。
【００２５】
また本実施形態では、浴槽１０は、断熱部材６１、６２により画成された断熱空間Ｈ内に配置されている。浴槽パン２０、壁貼り断熱材３２、およびエプロン貼り断熱材３３はそれぞれ、互いに隙間なく接続され、浴槽１０の槽部１１を下方および水平方向の外側から囲んでいる。
また本実施形態では、断熱部材６１、６２は、例えば発泡ポリスチレン等のような発泡体を含んだ材料で形成されている。断熱部材６１、６２の平均肉厚は３０ｍｍ以上となっている。ここで、平均肉厚とは、第１断熱部材６１においては上下方向の寸法の平均値を意味し、第２断熱部材６２においては幅方向Ｘの寸法の平均値を意味している。
また、浴槽１０と断熱部材６１、６２との間には、想定されるオプション部品を収容できる空間を設けている。なお、オプション部品が必ず設けられないところ部分には、断熱部材６１、６２と浴槽１０の外面との間にほぼ隙間ができないようにしてもよい。
【００２６】
以上説明したように、本実施形態に係るユニットバス１によれば、浴槽１０の外側に配置される浴槽パン２０、壁パネル３０、およびエプロンパネル４０がそれぞれ、断熱部材６１、６２を備え、浴槽１０が、断熱部材６１、６２により画成された断熱空間Ｈ内に配置されているので、浴槽１０に断熱性能を具備させることができる。
また、断熱部材６１、６２が浴槽１０の外面ではなく、浴槽パン２０、壁パネル３０、およびエプロンパネル４０それぞれに設けられている。このため、浴槽１０の大きさに合わせて、浴槽１０の外形形状に沿った複数の形状の断熱材を準備する必要が無く、断熱材を浴槽１０の外面に設けるような構成と比較して、生産設備の準備にかかる費用を抑えることができる。
また、断熱部材６１、６２が、浴槽１０の外面に設けられていないことから、仮に浴槽１０の外面にオプション部品を直接接続するような場合であっても、断熱部材６１、６２を部分的に取り除く必要が無い。このため、オプション部品の追加によって、浴槽１０の断熱性能が低下するのを抑えることができる。
【００２７】
また、浴槽パン２０が第１断熱部材６１と一体に形成されるとともに、壁パネル３０およびエプロンパネル４０における浴槽１０と面する側の内面に、第２断熱部材６２が隣接して配置されている。このため、浴槽１０の外面からの放熱を効果的に抑制し、浴槽１０に高い断熱性能を具備させることができる。
また、断熱部材６１、６２が発泡体を含んだ材料で形成されているので、断熱部材６１、６２を軽量化し、ユニットバス１を住居内に据え付ける際の施工性を確保することができる。
また、断熱部材６１、６２の平均肉厚が３０ｍｍ以上となっているので、浴槽１０により一層高い断熱性能を具備させることができる。
【００２８】
次に、以上説明した作用効果の検証試験について説明する。
この検証試験では、実施例として本実施形態に係るユニットバス１を採用し、比較例１として、実施例１のユニットバス１に代えて、断熱部材６１、６２を備えず、浴槽１０の外面の全域にわたって断熱材を設けるとともに、浴槽パン２０の下方に断熱シートを配置した構成を採用した。また、比較例２として、実施例１のエプロンパネル４０に代えて、断熱材と一体に形成された断熱エプロンパネルとした構成を採用した。
すなわち、比較例１では、壁パネル、およびエプロンパネルが断熱性能を具備しておらず、比較例２では、壁パネルが断熱性能を具備していないこととなる。
【００２９】
そして、実施例１、比較例１、および比較例２それぞれのユニットバス１の断熱性能、施工性、および初期費用を評価した。また、断熱性能の評価においては、浴槽の外面に取付けられるオプション部品として、追い焚きアダプターを備えた構成、および追焚配管と噴流ノズルとを備えた構成について、それぞれ評価した。
なおオプション部品を浴槽の外面に取付ける際には、浴槽の外面のうち、オプション部品の周囲に位置する断熱材が、部分的に取り除かれている構成を採用した。
これらの結果を表１に示す。
【００３０】
【表１】
2019005293.tif 000003
【００３１】
表１に示すように、本検証試験により、実施例に係るユニットバス１では、追い焚きアダプターを備えた構成、および追焚配管と噴流ノズルとを備えた構成の双方において、断熱性能を確保できていることが確認された。また、実施例に係るユニットバス１では、施工性が確保できているとともに、初期費用を抑えることができることが確認された。
【００３２】
一方、比較例１および比較例２に係るユニットバス１では、追い焚きアダプターを備えた構成においては断熱性能が確保できているが、追焚配管と噴流ノズルとを備えた構成においては、断熱材を取り除く面積が大きくなることで、断熱性能が確保できていないことが確認された。また、比較例１および比較例２に係るユニットバス１では、施工性の確保が不十分であり、初期費用がかかることが確認された。
これらの結果により、実施例に係るユニットバス１では、浴槽１０に断熱性能を具備させるための費用を抑えるとともに、オプション部品の追加によって、浴槽の断熱性能が低下するのを抑えることができることが確認された。
【００３３】
なお、本発明の技術的範囲は前記実施形態に限定されるものではなく、本発明の趣旨を逸脱しない範囲において種々の変更を加えることが可能である。
【００３４】
例えば、上記実施形態においては、浴槽１０が、断熱部材６１、６２により画成された断熱空間Ｈ内に配置され、槽部１１の全体が、下方および水平方向の外側から断熱部材６１、６２により囲まれている構成を示したが、このような態様に限られない。例えば、浴槽パン２０と壁貼り断熱材３２との接続部分に隙間が設けられたり、壁貼り断熱材３２の上端部が、浴槽１０の縁部１２よりも下方に位置していたりすることで、浴槽１０のうちの一部が、断熱空間Ｈ内に配置されていなくてもよい。
【００３５】
また、上記実施形態においては、断熱部材６１が第１断熱部材６１と第２断熱部材６２とを備えた構成を示したが、このような態様に限られない。例えば、壁パネル３０およびエプロンパネル４０のうち、少なくとも一方が断熱部材６２と一体に形成されてもよい。また、浴槽パン２０の内面に、断熱部材６１が隣接して配置されてもよい。
また、浴槽パン２０をＦＲＰで形成し、浴槽パン２０における浴槽１０の載置面に、断熱部材６１を設けてもよい。
【００３６】
また、上記実施形態では、断熱部材６１、６２が発泡体を含んだ材料で形成されている構成を示したが、このような態様に限られない。断熱部材６１、６２は発泡体を含まなくてもよい。
また、上記実施形態では、断熱部材６１、６２の平均肉厚が３０ｍｍ以上である構成を示したが、このような態様に限られない。断熱部材６１、６２の平均肉厚は、３０ｍｍ未満であってもよい。
【００３７】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００３８】
１  ユニットバス
１０  浴槽
１１  槽部
１２  縁部
２０  浴槽パン
３０  壁パネル
３２  壁貼り断熱材
３３  エプロン貼り断熱材
４０  エプロンパネル
６１  第１断熱部材（断熱部材）
６２  第２断熱部材（断熱部材）
【図１】
2019005293.tif 000004